(57)【特許請求の範囲】
【請求項１】
包装媒体が円筒状に巻かれた細長い包装媒体巻回体を収納し、一面に開口部を有する包装媒体収納容器であって；
前記開口部に対向する底板と；
前記底板の一辺に立設された前板と；
前記底板の一辺に対向する前記底板の他の一辺に立設された後板と；
前記底板の他の一辺に対向する第１の連接辺を有し、前記第１の連接辺において前記後板に回動可能に連接され、前記開口部を塞ぐように構成された蓋板と；
前記底板の一辺に対向する第２の連接辺を有し、前記第２の連接辺において前記前板に連接された副前板とを備え；
前記副前板は、前記前板に対して角度をなして前記包装媒体収納容器の内側に張り出すよう配置された二つの抑え板を有し；
前記角度が、前記包装媒体が前記包装媒体収納容器から引き出されるときに前記包装媒体が前記抑え板に接触せず、引き出された前記包装媒体が切断されて前記包装媒体が前記包装媒体収納容器に戻ろうとするときに前記抑え板に接触するように、前記前板に対して前記開口部側に向かって傾く角度であり；
前記抑え板の張り出した部分の外周線は、前記第２の連接辺の中点に最も近い点を始点とし、当該始点が前記第２の連接辺より離れた所にあり、前記中点から最も遠い点を終点とし、当該終点が前記第２の連接辺上にあるよう構成され；
前記角度は、前記外周線の前記始点から前記終点に向かうにしたがって大きくなるように構成された；
包装媒体収納容器。
【請求項２】
前記外周線は、前記始点に近い部分が、前記始点より離れるにしたがい前記第２の連接辺からの距離を緩やかに増加させ、前記終点に近い部分が、前記終点より離れるにしたがい前記第２の連接辺からの距離を前記始点に近い部分の増加に比べて急激に増加するよう構成された；
請求項１に記載の包装媒体収納容器。
【請求項３】
前記二つの抑え板が、前記第２の連接辺の中点を通り前記底板に直角な面に対して面対称に配置された；
請求項１または請求項２に記載の包装媒体収納容器。
【請求項４】
請求項１乃至請求項３のいずれか１項に記載の包装媒体収納容器と；
前記包装媒体が円筒状に巻かれた前記包装媒体巻回体とを備える；
包装媒体供給具。
【発明の詳細な説明】
【技術分野】
【０００１】
本発明は、包装媒体が円筒状に巻かれた包装媒体巻回体を収納する包装媒体収納容器に関し、特に、包装媒体収納容器から包装媒体を引き出したときに、包装媒体が包装媒体収納容器内に巻き戻ることを防止することができる包装媒体収納容器に関する。
【背景技術】
【０００２】
図４（Ａ）に示すように、従来の包装媒体供給具１０１は、包装媒体巻回体１０２（以下、適宜、巻回体１０２）と、巻回体１０２を収納する包装媒体収納容器１０３（以下、適宜、収納容器１０３）とを含んで構成される。巻回体１０２は、食品包装用等に使用される包装媒体１１２を円筒状の巻芯（図中、不図示）に巻きつけて巻回体１０２としたものである。巻回体１０２は、細長い直方体形状である紙製の収納容器１０３の中に収納される。
【０００３】
収納容器１０３は、一面全体に渡って開口している開口部１３０を、図中、上部に有する容器本体１１５と、開口部１３０を覆って蓋をするように形成され、一端が容器本体１１５に回動可能に連接された蓋板１２２とを含んで構成されている。
【０００４】
容器本体１１５は、底板１０４と、前板１０５と、後板１０６とを有する。収納容器１０３は、蓋板１２２に立設された蓋前板１２３であって、蓋板１２２が開口部１３０を塞いだときに、前板１０５に重なる蓋前板１２３を備える。蓋前板１２３の一端１４０であって、蓋前板１２３が蓋板１２２に連接された一端１４０に対向する一辺１４６には、カッター１２４が形成されている。
【０００５】
前板１０５の長手方向Ｘの中央部分には、包装媒体１１２の先端を保持する包装媒体保持部１２６（以下、適宜、保持部１２６）（図４（Ｃ））が形成されている（特許文献１参照）。前板１０５には副前板１０７が第２の連接辺１３９にて連接され、副前板１０７は、前板１０５の裏側に貼り付けられている。副前板１０７は、その一部分である抑え板１０９を有する。抑え板１０９は、使用開始時に前板１０５の裏側に接着している状態から第２の連接辺１３９を中心に回動し角度α（図４（Ｂ））で切り起こされ、開口部１３０側に張り出すように配置される（例えば、特許文献２参照）。
【０００６】
包装媒体１１２を使用するときは、収納容器１０３を手に持ち、蓋板１２２を開け、包装媒体１１２を摘んで引き出すと、巻回体１０２は収納容器１０３内で回転し、包装媒体１１２を巻回体１０２から剥離させ、収納容器１０３の外部に引き出すことができる。必要な長さの包装媒体１１２を引き出した後に、蓋板１２２を閉め、蓋前板１２３の長手方向Ｘの中央を、包装媒体１１２を引き出した手と反対の手の親指で押さえ、カッター１２４を使用して包装媒体１１２を切断し、切り離した包装媒体１１２を使用する。包装媒体１１２を収納容器１０３から引き出してカッター１２４で切断した後は、包装媒体１１２は保持部１２６に保持されるが、包装媒体１１２が収納容器１０３内に戻ろうとするときは、当該戻ろうとする包装媒体１１２の動きが抑え板１０９に規制され、収納容器１０３内に戻りにくい構造になっている。
【先行技術文献】
【特許文献】
【０００７】
【特許文献１】特開昭６３−５５０４３号公報（図１等）
【特許文献２】特開平５−２２９５５１号公報（図１等）
【発明の概要】
【発明が解決しようとする課題】
【０００８】
しかし、容器本体１１５から包装媒体１１２を引き出す際は、多くの場合、使用者は包装媒体１１２の先端であって長手方向Ｘの中央部分を指で摘んで引き出す。その際、包装媒体１１２の当該中央部分に強いテンションがかかり、抑え板１０９が収納容器１０３内部の当該中央部分で、切り起こされ過ぎた形で存在すると、包装媒体１１２が抑え板１０９に引っかかることがあった。
【０００９】
また、包装媒体１１２を保持する保持部１２６は前板１０５の長手方向Ｘの中央付近に設けられることが多いため、包装媒体１１２が収納容器１０３内に戻るというトラブルは、前板１０５の長手方向Ｘの端部において起きることが多い。このため、抑え板１０９は長手方向Ｘの中央部以外に設け、包装媒体の戻りを防止することが望まれていた。また、切り起こした抑え板１０９は、起き上がりが不十分であったり、起き上がり角度が不安定である場合があり、引き出された包装媒体１１２の戻りを十分に規制できない場合があった。
【００１０】
そこで、本発明は、収納容器から包装媒体を引き出す時の抵抗とならず、一方、包装媒体が収納容器内に戻ろうとする動きを、収納容器の中央部以外においても十分に規制する働きを行うことができる抑え板を備えた包装媒体収納容器を提供することを目的とする。
【課題を解決するための手段】
【００１１】
上記目的を達成するために、本発明の第１の態様に係る包装媒体収納容器３は、例えば図１、図２、図３において、包装媒体１２が円筒状に巻かれた細長い包装媒体巻回体２を収納し、一面に開口部３０を有する包装媒体収納容器３であって；開口部３０に対向する底板４と；底板４の一辺３１に立設された前板５と；底板４の一辺３１に対向する底板４の他の一辺３２に立設された後板６と；底板４の他の一辺３２に対向する第１の連接辺３８を有し、第１の連接辺３８において後板６に回動可能に連接され、開口部３０を塞ぐように構成された蓋板２２と；底板４の一辺３１に対向する第２の連接辺３９を有し、第２の連接辺３９において前板５に連接された副前板７とを備え；副前板７は、開口部３０に対して角度（９０度−α）をなして開口部３０側に張り出すよう配置された二つの抑え板９を有し；角度（９０度−α）が、開口部３０に対して底板４に向かって傾く角度であり；抑え板９の張り出した部分の外周線１６は、第２の連接辺３９の中点１９に最も近い点を始点１７とし、当該始点１７が第２の連接辺３９より離れた所にあり、中点１９から最も遠い点を終点１８とし、当該終点１８が第２の連接辺３９上にあるよう構成される。
【００１２】
このよう構成にすると、二つの抑え板の張り出した部分のそれぞれの外周線は、第２の連接辺の中点に最も近い点を始点とし、当該始点が第２の連接辺より離れた所にあり、第２の連接辺の中点から最も遠い点を終点とし、当該終点が第２の連接辺上にあるよう構成されるので、二つの抑え板の始点に近い部分は起上がりが抑制され、終点に近い部分は起上がりが抑制されることがなく始点に近い部分より大きい角度で起上がり、包装媒体収納容器から引き出された包装媒体が包装媒体収納容器に戻るのを二つの抑え板によって安定して防止することができる。
【００１３】
本発明の第２の態様に係る包装媒体収納容器３は、例えば図１、図２に示すように、第１の態様の包装媒体収納容器において、外周線１６は、始点１７に近い部分が、始点１７より離れるにしたがい第２の連接辺３９からの距離Ｗを緩やかに増加させ、終点１８に近い部分が、終点１８より離れるにしたがい第２の連接辺３９からの距離Ｗを始点１７に近い部分の増加に比べて急激に増加するよう構成される。
【００１４】
このように構成すると、二つの抑え板のそれぞれの外周線は、始点に近い部分が、始点より離れるにしたがい第２の連接辺からの距離を緩やかに増加させ、終点に近い部分が、終点より離れるにしたがい第２の連接辺からの距離Ｗを始点に近い部分の増加に比べて急激に増加するよう構成されるので、包装媒体収納容器から引き出される包装媒体       は、始点に近い部分では２つの抑え板に接触しにくく、また接触した場合でも二つの抑え板と包装媒体との間のこすれによる抵抗を低く抑えることができる。終点に近い部分では距離Ｗの急激な増加により、包装媒体が包装媒体収納容器内に戻ろうとする動きを規制する二つの抑え板の働きが十分に行われる。
【００１５】
本発明の第３の態様に係る包装媒体収納容器３は、例えば図１に示すように、二つの抑え板９が、第２の連接辺３９の中点１９を通り底板４に直角な面２５に対して面対称に配置される。
【００１６】
このように構成すると、二つの抑え板が第２の連接辺の中点を通り底板に直角な面に対して面対称に配置されるので、包装媒体の抑え板への接触防止と包装媒体の包装媒体収納容器への戻り防止を二つの抑え板によって安定して行うことができる。
【００１７】
上記目的を達成するために、本発明の第４の態様に係る包装媒体供給具１は、例えば図１に示すように、第１の態様乃至第３の態様のいずれか１の態様の包装媒体収納容器３と；包装媒体１２が円筒状に巻かれた包装媒体巻回体２とを備える。
【発明の効果】
【００１８】
以上説明したように、本発明の包装媒体収納容器によれば、二つの抑え板の張り出した部分のそれぞれの外周線は、第２の連接辺の中点に最も近い点を始点とし、当該始点が第２の連接辺より離れた所にあり、第２の連接辺の中点から最も遠い点を終点とし、当該終点が第２の連接辺上にあるよう構成されるので、二つの抑え板の始点に近い部分は起上がりが抑制され、終点に近い部分は起上がりが抑制されることがなく始点に近い部分より大きい角度で起上がり、包装媒体収納容器から引き出された包装媒体が包装媒体収納容器に戻るのを二つの抑え板によって安定して防止することができる。
【図面の簡単な説明】
【００１９】
【図１】図１は、本発明の実施の形態に係る、包装媒体収納容器を備える包装媒体供給具を前面上方から見た斜視図である。
【図２】図１の包装媒体収納容器の蓋板と蓋前板の部分と包装媒体巻回体とを省略した、包装媒体収納容器を備える包装媒体供給具を背面上方から見た斜視図である。
【図３】図１の包装媒体収納容器の長手方向の中央部における長手方向に直角な方向の包装媒体供給具の包装媒体巻回体を省略した断面図である。
【図４】図４（Ａ）は、従来の包装媒体供給具の斜視図である。図４（Ｂ）は、従来の包装媒体供給具の部分断面図である。図４（Ｃ）は、従来の包装媒体供給具の正面図である。
【発明を実施するための形態】
【００２０】
以下、本発明の実施の形態について、図面を参照して説明する。なお、各図において互いに同一あるいは相当する部材には同一の符号を付し、重複した説明は省略する。
【００２１】
図１〜図３を参照して、本発明の実施の形態の、包装媒体収納容器３（以下、適宜、収納容器３）を備える包装媒体供給具１（以下、適宜、供給具１）の構成を説明する。図１は、水平に配置された状態の供給具１の斜視図である。図２は、図１の収納容器３の蓋板２２と蓋前板２３の部分と包装媒体巻回体２（以下、適宜、巻回体２）を省略した容器本体１５の斜視図である。図３は、図１の収納容器３の長手方向中央部における長手方向Ｘに直角な方向の、巻回体２を省略した断面図である。図１、図３では、蓋板２２は、開いた状態である。
【００２２】
供給具１は、巻回体２と、巻回体２を収納する収納容器３とを含んで構成される。巻回体２は、食品包装用等に使用される包装媒体１２を円筒状の巻芯１０に巻きつけて巻回体２としたものである。巻回体２は、収納容器３の中に収納される。収納容器３は、例えば、厚紙またはボール紙などの紙素材（不図示）により形成される。収納容器３は、複数枚、または、１枚の紙素材から形成することが可能である。
【００２３】
収納容器３は、容器本体１５を備える。容器本体１５は略直方体形状をなす。容器本体１５は、紙素材（不図示）を折り曲げて形成され、当該紙素材は一度折り曲げても元に戻ろうとする曲げに対する弾力性（復元性）を有している。容器本体１５は、包装媒体１２が円筒状に巻かれた巻回体２を収容する。容器本体１５には、図１中、上側の一面が開口され、開口部３０が形成されている。すなわち、収納容器３は、開口部３０を有する。当該開口部３０から巻回体２を出し入れすることができる。巻芯１０に巻かれた包装媒体１２は、ポリ塩化ビニリデンを原材料とする透明包装媒体であるが、ポリ塩化ビニル、ポリエチレン、ポリメチルペンテン、もしくはこれらを組み合わせた多層包装媒体であってもよい。また、包装媒体１２は、ロール紙、キッチンペーパ、アルミホイル、加熱調理用紙シート等であってもよい。
【００２４】
収納容器３は、底板４と、底板４の一辺３１（長辺）に底板４に対し直角に立設された前板５と、一辺３１に対向する底板４の他の一辺３２（長辺）に底板４に対し直角に立設された後板６と、底板４の一辺３１に対向する第２の連接辺３９を有する副前板７とを備える。底板４、前板５、後板６、副前板７は、容器本体１５を構成する。底板４は、開口部３０に対向するよう配置されている。副前板７は、第２の連接辺３９において前板５に連接される。副前板７は、略直方体形状の容器本体１５の形成に際し、第２の連接辺３９に沿って、収納容器３の内側（巻回体２を収納している側）に１８０度折り込まれ、前板５に重ねられる。折り込まれた副前板７は、前板５の側の表面に接着剤がライン状に塗布され、前板５と接着され、固定される。折り込みは、第２の連接辺３９上で行われる。底板４、前板５、後板６、副前板７は、略長方形である。底板４は長辺である一辺３１および他の一辺３２に加えて、短辺６１、６２を有する。収納容器３は、側面板７１、７２を備える。側面板７１、７２は、それぞれ短辺６１、６２に立設されている。側面板７１、７２は略正方形である。
【００２５】
収納容器３は、さらに、蓋板２２と、蓋前板２３とを備える。蓋板２２は、略長方形である。蓋板２２は、底板４の他の一辺３２に対向する第１の連接辺３８を有し、第１の連接辺３８において後板６に回動可能に連接され、開口部３０を塞ぐよう構成される。蓋前板２３は、第１の連接辺３８に対向する蓋板２２の一辺４０に蓋板２２に対して直角に立設され、蓋板２２が開口部３０を塞いだ状態のとき、前板５に沿って前板５の外側（副前板７側とは反対側）に重なるよう配置される。
【００２６】
蓋板２２は長辺である第１の連接辺３８と一辺４０に加えて、短辺６３、６４を有する。収納容器３は、蓋側面板７３、７４を備える。蓋側面板７３、７４は、それぞれ短辺６３、６４に立設されている。蓋側面板７３、７４は略長方形である。
【００２７】
蓋前板２３の底板４の一辺３１に対向する側（蓋板２２が閉じた状態で対向）には、包装媒体１２を切断するためのカッター２４が一辺４６に沿って設けられている。カッター２４の先端には複数の鋸刃８０が形成されている。カッター２４の一部は、蓋板２２を完全に閉じて（すなわち、蓋板２２が底板４に平行になって）、開口部３０を塞いだ場合、底板４方向に突出するように構成されているが、これには限定されないものとする。
【００２８】
前板５の中央部分には、包装媒体保持部２６（以下、適宜、保持部２６）が形成されている。保持部２６の形成方法としては、包装媒体１２に対して粘着性を有する粘着剤を塗布し粘着剤層を設ける方法や、包装媒体１２に対して密着性を有し、平滑性のあるニスを塗布し平滑層を設ける方法、さらには包装媒体１２自体の自己密着性を利用し、包装媒体１２と実質的に同一材料からなる自己密着性包装媒体層を設ける方法等がある。包装媒体１２を保持する保持部２６は前板５の外側の外表面に形成される。
【００２９】
副前板７は、二つの抑え板９と副前板本体とを含んで構成される。副前板本体は、副前板７の二つの抑え板９以外の部分である。副前板７は、前板５の内側に前板５に沿って配置され、前板５の内側の面に接着されている。抑え板９は、切り込みを有するので切り込みの部分で副前板７から分離され、副前板７から切り起こされるように構成され、前板５に対して角度α（開口部３０に対しての角度は９０度−α）をなして副前板７から副前板７の内側に張り出すように配置される。抑え板９は、容器本体１５の形成時に副前板７が前板５と重なるように折り曲げられたときに、副前板７から起き上がる。抑え板９においては、切り込みが入れられている線が、外周線１６を形成する。角度αは、抑え板９の前板５に対する角度であって、抑え板９が開口部３０に向かうように起き上がった状態で傾く角度である。角度αは、収納容器３から引き出され、カッター２４によって切断された包装媒体１２が、収納容器３から引き出されるときは、抑え板９に接触せず、カッター２４によって切断された後に、包装媒体１２が収納容器３に戻ろうとする時に抑え板９に接触するように決めるとよい。
【００３０】
抑え板９は長手方向Ｘに細長い形状を有する。抑え板９の長手方向Ｘに沿う第２の連接辺３９側の一方の直線状の辺２０が、第２の連接辺３９に対して角度βをなして配置されている。抑え板９の長手方向Ｘに延在する他方の山形の辺１６が副前板７から分離されて外周線１６を形成している。辺１６（外周線１６）と辺２０は始点１７と終点１８を有し、第２の連接辺３９の長手方向Ｘの中点１９に最も近い方が始点１７であり、第２の連接辺３９の中点１９から最も遠い方が終点１８である。始点１７は、第２の連接辺３９から副前板７に沿って距離Ｗ１だけ離れたところにあり、終点１８は第２の連接辺３９上にある。抑え板９は、終点１８が第２の連接辺３９上にあるので、抑え板９を、十分な角度αで起き上がらせることができ、始点１７は、第２の連接辺３９から距離Ｗ１だけ離れたところにあるので、起き上がった抑え板９の角度αが大きくならないように抑制し、すなわち抑え板９の起上がりを抑制し、安定して維持することができる。
【００３１】
収納容器３の組立時に、前板５と副前板７が第２の連接辺３９に沿って重なるように折り曲げられる。しかし、抑え板９は終点１８が第２の連接辺３９上にあるので、折り曲げられた状態から元に戻ろうとする復元力が比較的よく働き、角度αを持って起き上がるが、この角度αを大きくするよう（より起き上がるように）に作用する。また、始点１７は、第２の連接辺３９上にあるのではなく、第２の連接辺３９から副前板７に沿って距離Ｗ１だけ離れたところにあるので、抑え板９の始点１７に近い部分は、副前板７の折り曲げの影響を受けやすく、角度αを小さくし（すなわち、起き上がりが抑制され）、かつこの角度αを維持するよう作用する。抑え板９の角度αは、始点１７から終点１８に向かうにしたがって、大きくなり、すなわち、より起き上がり、抑え板９の表面はねじれたウェーブ状となる。抑え板９の始点１７に近い部分における角度α１は、１０度から３０度になるようにするとよい。抑え板９の終点１８に近い部分における角度α２は、３０度から９０度になるようにするとよい。
【００３２】
抑え板９を二つとし、それぞれ第２の連接辺３９の中点１９から長さＬ０だけ離して、中点１９を通り底板４に直角な面２５（図２に一点鎖線にて表示）に対し面対称となるように設けたので、中点１９に近い部分には抑え板９は配置されず、また抑え板９の中点１９に最も近い点である始点１７を、第２連接辺３９から距離Ｗ１だけ離すように構成することによって、包装媒体１２が収納容器３から引き出されるとき抑え板９に接触しにくくすることができる。
【００３３】
図１〜図３を参照して、説明を続ける。抑え板９の外周線１６は、始点１７に近い部分が、始点１７より終点１８に向かって離れるにしたがい第２の連接辺３９からの距離Ｗを緩やかに増加させ、終点１８に近い部分が、終点１８より始点１７に向かって離れるにしたがい第２の連接辺３９からの距離Ｗを点１７に近い部分の増加に比べて増加率が高く急激に増加させるよう構成される。距離Ｗは、抑え板９が包装媒体１２の収納容器３内への戻りを防止できるよう、開口部３０の幅Ｗ０の１０％から４０％の間とすることが望ましい。距離Ｗ１は、好ましくは、４ｍｍ以内、より好ましくは２ｍｍから３ｍｍの間とするとよい。
【００３４】
抑え板９は長手方向Ｘの長さＬ１を有し、始点１７が中点１９から長手方向Ｘに長さＬ０だけ離れている。抑え板９の終点１８から側面板７１、７２の外側の表面までの長手方向Ｘの長さは長さＬ２である。抑え板９の長さＬ１は、包装媒体１２の戻りを抑制するため、収納容器３の長手方向Ｘの中央部以外の端部の近くをカバーし、当該中央部以外の端部における包装媒体１２の戻りを抑制できるよう、十分な長さであるようにする。抑え板９が十分に切り起こされるよう、また抑え板９が、包装媒体１２を引き出すときに過度な抵抗を生じないよう、かつ切断された包装媒体１２が収納容器３内へ戻らない抵抗を生じるよう、長さＬ０は、収納容器３の長手方向Ｘの長さの５％から２５％、長さＬ１は、収納容器３の長手方向Ｘの長さの１０％から４０％とすることが望ましい。
【００３５】
従来は、抑え板が前板の長手方向の中央部にのみ配置されている場合は、前板の長手方向の端部において、包装媒体が収納容器に戻ろうとするトラブルが発生しやすかった。これを防止するため、抑え板９は、二つとし、前述のように配置した。引き出された包装媒体１２の側面板７１、７２に近い端部の戻りを抑え板９により規制し、包装媒体１２全体の戻りを効果的に防止できるようにする。このため、Ｌ２の長さは、３０ｍｍ以下とすることが望ましい。引き出された包装媒体１２の中央部の戻りを抑制したのでは不十分であり、包装媒体１２の中央部以外の端部を含んだ範囲（図２の抑え板９が配置されている範囲）における戻りを抑制する必要がある。このように引き出された包装媒体１２の中央部以外の端部を含んだ範囲における戻りを抑制すると、包装媒体１２の全体の戻りを防止することができる。
【００３６】
外周線１６は、始点１７に近い部分である、始点１７から長手方向Ｘに離れるにしたがって距離Ｗが増加する増加部１６Ａと、終点１８に近い部分である、終点１８から長手方向Ｘに離れるにしたがって距離Ｗが増加する増加部１６Ｃと、距離Ｗが一定の一定部１６Ｂとを有する。増加部１６Ａの長手方向Ｘの長さは長さＬ１Ａであり、増加部１６Ｃの長手方向Ｘの長さは長さＬ１Ｃであり、一定部１６Ｂの長手方向Ｘの長さは長さＬ１Ｂである。長さＬ１Ａは、長さＬ１Ｃより長く形成されている。増加部１６Ｃにおける距離Ｗの増加率（長さに対する距離の全体的増加率）は、増加部１６Ａにおける距離Ｗの増加率（長さに対する距離の全体的増加率）より高い。
【００３７】
抑え板９は、副前板７から開口部３０側に張り出すように配置されているので、巻回体２が収納容器３から飛び出すのを防止することができる効果をも有する。
【００３８】
実施の形態に係る包装媒体収納容器３によれば、収納容器３が二つの抑え板９を備え、抑え板９の張り出した部分の外周線１６は、始点１７が第２の連接辺３９から内側方向に距離Ｗ１だけより離れた所にあり、終点１８が第２の連接辺３９上にあるので、収納容器３から包装媒体１２を引き出す時は、包装媒体１２は抑え板９に接触しにくく、包装媒体１２が収納容器３内に戻ろうとするときは包装媒体１２の動きを規制する働きを十分行うことができる。二つの抑え板９の外周線１６は、始点１７に近い部分が、始点１７より終点１８に向かって離れるにしたがい第２の連接辺３９からの距離Ｗを緩やかに増加させ、終点１８に近い部分が、終点１８より始点１７に向かって離れるにしたがい第２の連接辺３９からの距離Ｗを始点１７に近い部分の増加に比べて急激に増加するよう構成されるので、包装媒体１２が収納容器３に戻ろうとする動きが特に起こりやすい終点１８に近い部分において、安定してその包装媒体１２の動きを規制することができる。
【符号の説明】
【００３９】
１  包装媒体供給具
２  包装媒体巻回体
３  包装媒体収納容器
４  底板
５  前板
６  後板
７  副前板
９  抑え板
１０  巻芯
１２  包装媒体
１５  容器本体
１６  外周線（辺）
１６Ａ、１６Ｃ  増加部
１６Ｂ  一定部
１７  始点
１８  終点
１９  中点
２０  辺
２１  先端部
２２  蓋板
２３  蓋前板
２４  カッター
２５  面
２６  包装媒体保持部
３０  開口部
３１  一辺
３２  他の一辺
３８  第１の連接辺
３９  第２の連接辺
４０  一辺
４６  一辺
６１、６２、６４、６４  短辺
７１、７２  側面板
７３、７４  蓋側面板
８０  鋸刃
【図１】
0005658554.tif 000002
【図２】
0005658554.tif 000003
【図３】
0005658554.tif 000004
【図４】
0005658554.tif 000005